(57)【要約】【課題】大型化や重量増加を抑制しつつ、温度上昇を抑制することができる光ピックアップ及び光ディスク装置を提供する。【解決手段】フレキシブルプリント基板９は、端子１２ａ〜１２ｃと接続固定するための接続部９２１と、接続部９２１から延長した接地用の配線パターンを内部に含む延長部９２２と、延長部９２２の先端に設けられた接触部９２３とを備え、接触部９２３が光源１の本体１１に接触し、延長部９２２が湾曲しているとともに、接続部９２１が本体１１から離れた位置で、複数の配線パターン９２４ａ〜９２４ｃと対応する複数の端子１２ａ〜１２ｃとを接続固定している光ピックアップＡ。【選択図】図６
2015043248.tif 000002
【特許請求の範囲】
【請求項１】
複数の端子が本体より突出している光源と、
複数の配線パターンを絶縁膜で覆ったフレキシブルプリント基板とを備え、
前記フレキシブルプリント基板は、
前記複数の配線パターンをそれぞれ対応する端子に接続固定するための接続部と、
接続部より接地用の配線パターンを延長し、前記延長した接地用の配線パターンを内部に含む延長部と、
前記延長部の先端に設けられ、前記延長した接地用の配線パターンを含む接触部とを備えており、
前記接触部が前記本体に接触し、前記延長部が湾曲しているとともに、前記接続部が前記本体から離れた位置で、前記複数の配線パターンをそれぞれ対応する端子に接続固定していることを特徴とする光ピックアップ。
【請求項２】
前記接触部の前記接地用の配線パターン及び前記絶縁膜には、前記複数の端子のそれぞれが貫通する複数の貫通孔が形成されており、
前記接地用の配線パターンに形成された貫通孔は、前記複数の端子のうち、接地用端子以外の端子が貫通する孔を、貫通する端子の断面積よりも大きく形成されており、
前記絶縁膜に形成された貫通孔のうち前記接地用端子以外の端子が貫通する孔は、前記接地用の配線パターンに形成され、前記接地用端子以外の端子が貫通する孔の内側に形成されている請求項１に記載の光ピックアップ。
【請求項３】
前記接触部の前記本体と接触する領域の少なくとも一部には、前記接地用の配線パターンが前記本体と直接接触するように、前記絶縁膜が形成されていない部分を含んでいる請求項１又は請求項２に記載の光ピックアップ。
【請求項４】
前記延長部が前記接触部を前記本体に押し付ける弾性力を発生させる請求項１から請求項３のいずれかに記載の光ピックアップ。
【請求項５】
前記延長部の前記絶縁膜の辺縁の一部に切欠きが形成されている請求項１から請求項４のいずれかに記載の光ピックアップ。
【請求項６】
請求項１から請求項５のいずれかに記載の光ピックアップを備えていることを特徴とする光ディスク装置。
【請求項７】
前記光ピックアップは、フレキシブルプリント基板が接続される基板を備えており、
前記基板が光ディスクと対向するように配置されている請求項６に記載の光ディスク装置。
【発明の詳細な説明】
【技術分野】
【０００１】
本発明は、光ピックアップ及び光ディスク装置に関し、特に光源の熱を効果的に排出する光ピックアップ及び光ディスク装置に関するものである。
【背景技術】
【０００２】
ＢＤプレーヤやＤＶＤプレーヤといった光ディスク装置は、光ディスクに光を照射し光ディスクで反射した光（戻り光）を検出する光ピックアップを備えている。そして、前記光ピックアップは、電力を供給することで、光ディスクに照射するレーザ光を発生する半導体レーザ（光源）を備えている。このような半導体レーザは光を出射するときに同時に発熱するようになっている。
【０００３】
光ピックアップは、内部の温度が高くなると、安定した動作が困難になったり、部材が破損したりする電子部品を備えている。前記光ピックアップでは、放熱部材を用いて放熱し、前記電子部品の温度上昇を抑制しているものがある（例えば、特許文献１）。
【０００４】
特許文献１に記載の光ピックアップは、半導体レーザと、前記半導体レーザから出射され、偏光ビームスプリッタを通過したレーザ光を検出するＦＭＤ（受光素子）を備え、ＦＭＤで検出した光の強度によって、半導体レーザの出力を設定している。この光ピックアップでは、前記ＦＭＤは光を正確に検出するため樹脂で覆われており、レーザ光が照射されることで高温により樹脂が変質しやすい。そこで、前記ＦＭＤと接触して配置されたフレキシブルプリント基板を挟んで反対側に熱伝導性が高く、熱容量の大きな放熱部材を配している。
【０００５】
前記ＦＭＤの熱を、前記フレキシブルプリント基板を介して前記放熱部材に伝導させ、前記放熱部材から外部に放出することで、前記ＦＭＤの温度上昇を抑制し、レーザ光が照射されたときの樹脂の変質を抑制している。
【先行技術文献】
【特許文献】
【０００６】
【特許文献１】特開２０１１−２３０５４号公報
【発明の概要】
【発明が解決しようとする課題】
【０００７】
しかしながら、上記特許文献１の構成では放熱部材として伝熱性が高い金属材料を使用しているとともに、熱容量を確保するためある程度の体積となるように形成されるため、前記放熱部材の重量が大きくなる。一般的に光ピックアップでは、重量が重くなると、動作に要する電力が多く必要になるとともに、迅速な動作が難しくなり、それだけ、光ピックアップの駆動の精度が低下する場合がある。
【０００８】
また、特許文献１の構成では、前記ＦＭＤの温度上昇を抑制することは可能であるが、半導体レーザ自体の温度を下げることは難しい。また、前記半導体レーザに近接して放熱部材を配置することで、前記半導体レーザの温度上昇を抑制することが可能であるが、放熱部材が増えることで、光ピックアップが大きくなったり、重量が増加したりして、光ピックアップの動作精度が低下する場合がある。
【０００９】
この発明は、上記のような課題を解決するためになされたものであり、この発明の１つの目的は、大型化や重量増加を抑制しつつ、温度上昇を抑制することができる光ピックアップ及び光ディスク装置を提供することである。
【課題を解決するための手段】
【００１０】
この発明の一の局面による光ピックアップは、複数の端子が本体より突出している光源と、複数の配線パターンを絶縁膜で覆ったフレキシブルプリント基板とを備え、前記フレキシブルプリント基板は、前記複数の配線パターンをそれぞれ対応する端子に接続固定するための接続部と、接続部より接地用の配線パターンを延長し、前記延長した接地用の配線パターンを内部に含む延長部と、前記延長部の先端に設けられ、前記延長した接地用の配線パターンを含む接触部とを備えており、前記接触部が前記本体に接触し、前記延長部が湾曲しているとともに、前記接続部が前記本体から離れた位置で、前記複数の配線パターンをそれぞれ対応する端子に接続固定している。
【００１１】
この発明の一局面による光ピックアップでは、フレキシブルプリント基板（の接地用配線パターン）を利用して、光源からの熱を放熱している。これにより、光源を冷却するために別途ヒートシンクを取り付ける必要がなく、光ピックアップの重量増加や大型化（厚みの増加）を抑制することが可能である。
【００１２】
上記一局面による光ピックアップにおいて、好ましくは、前記接触部の前記接地用の配線パターン及び前記絶縁膜には、前記複数の端子のそれぞれが貫通する複数の貫通孔が形成されており、前記接地用の配線パターンに形成された貫通孔は、前記複数の端子のうち、接地用端子以外の端子が貫通する孔を、貫通する端子の断面積よりも大きく形成されており、前記絶縁膜に形成された貫通孔のうち前記接地用端子以外の端子が貫通する孔は、前記接地用の配線パターンに形成され、前記接地用端子以外の端子が貫通する孔の内側に形成されるように構成されている。このように構成すれば、光源に備えられている端子の周囲に接触部を配置するため、接触部を端子が貫通するように配置できる。このとき、光源に備えられている端子のうち、接地端子以外の端子が接地用の配線パターンと接触するのを抑制することができる。
【００１３】
上記一局面による光ピックアップにおいて、好ましくは、前記接触部の前記本体と接触する領域の少なくとも一部には、前記接地用の配線パターンが前記本体と直接接触するように、前記絶縁膜が形成されていない部分を含んでいるに構成されている。このように構成することで、光源の本体から絶縁膜に比べて熱伝導率が高い配線パターンに直接熱を伝達させることができるので、光源の本体からの放熱効率を高めることが可能である。
【００１４】
上記一局面による光ピックアップにおいて、好ましくは、前記延長部が前記接触部を前記本体に押し付ける弾性力を発生させるように構成されている。このように構成することで、接続部が固定されると、延長部の弾性力で接触部が光源の本体に押し付けられるので、接触部と光源の本体とが確実に接触する。これにより、接触部と光源の本体との間の隙間によって、熱抵抗が大きくなるのを抑制することができる。
【００１５】
上記一局面による光ピックアップにおいて、好ましくは、前記延長部の前記絶縁膜の辺縁の一部に切欠きが形成されている。このように構成することで、延長部による接触部を押し付ける弾性力を調整することが可能である。また、切欠きを設け、弾性力を抑えることで、延長部は切欠きの部分での曲率半径を小さくすることができ、延長部を折り曲げたときの張り出しを小さくすることができる。
【００１６】
この発明の一の局面による光ディスク装置は、前記光ピックアップが、フレキシブルプリント基板が接続される基板を備えており、前記基板が光ディスクと対向するように配置されている。このように構成することで、光ディスクの回転によって発生する気流で、基板を冷却することが可能であるため、放熱効率を高めることが可能となる。
【発明の効果】
【００１７】
本発明によると、大型化や重量増加を抑制しつつ、温度上昇を抑制することができる光ピックアップ及び光ディスク装置を提供することができる。
【図面の簡単な説明】
【００１８】
【図１】本発明にかかる光ディスク装置の一例の全体構成を示す概略図である。
【図２】本発明にかかる光ピックアップの一例を光ディスクと反対側から見た斜視図である。
【図３】図２に示す光ピックアップの光ディスクと反対側から見た平面図である。
【図４】図２に示す光ピックアップの光ディスク側から見た平面図である。
【図５】図２に示す光ピックアップに用いられる光学素子の概略配置を示す図である。
【図６】図２に示す光ピックアップの第１光源の近傍を拡大した断面図である。
【図７】本発明にかかる光ピックアップに用いられるフレキシブルプリント基板の光源取付部の拡大図である。
【図８】本発明にかかる光ピックアップの他の例に用いられるフレキシブルプリント基板の光源取付部の拡大図である。
【図９】本発明にかかる光ピックアップの他の例に用いられるフレキシブルプリント基板の光源取付部の拡大図である。
【発明を実施するための形態】
【００１９】
以下に本発明の実施形態について図面を参照して説明する。
（第１実施形態）
【００２０】
図１は本発明にかかる光ディスク装置の一例の全体構成を示す概略図である。本発明にかかる光ディスク装置Ｄｐは、情報を記録する光ディスクＤｓとしてＢＤ（Ｂｌｕ−Ｒａｙ  Ｄｉｓｃ：登録商標）、ＤＶＤ及びＣＤを再生可能な構成を有している。具体的に、光ディスク装置Ｄｐは、光ピックアップＡ、ＲＦアンプＲａ、再生処理回路Ｐｗ、出力回路Ｏｔ、ドライバＤｒ、送りモータＭｔ、スピンドルモータＳｐ及び制御部Ｃｏｎｔを備えている。
【００２１】
光ピックアップＡは、光ディスクＤｓにレーザ光を照射し、光ディスクＤｓで反射された光（戻り光）を検出することで、光ディスクＤｓに記録された各種情報（音声情報や映像情報等）を読み取るための機器である。光ピックアップＡは、検出した戻り光を電気信号として生成し、その信号を各種情報に基づく情報信号としてＲＦアンプＲａに受け渡す。なお、光ピックアップＡの詳細については、後述する。
【００２２】
ＲＦアンプＲａは、光ピックアップＡで読み取られた情報信号を増幅する機能を有している。ＲＦアンプＲａで増幅された情報信号は、制御部Ｃｏｎｔに送られる。再生処理回路Ｐｗは、制御部Ｃｏｎｔを介してＲＦアンプＲａで増幅された情報信号を取得し、その情報信号に対して再生のための処理（例えば、画像処理など）を施す回路である。出力回路Ｏｔは、光ディスクＤｓに記録されている映像及び（又は）音声をモニタ及び（又は）スピーカ（いずれも不図示）に出力するための回路である。出力回路Ｏｔは、再生処理回路Ｐｗで処理された情報信号に対しＤ／Ａ変換処理を行うようになっている。出力する機器のなかには、デジタル信号を受信可能なものもありそのような機器に対して出力を行う場合、Ｄ／Ａ変換処理を省略してもよい。
【００２３】
ドライバＤｒは、制御部Ｃｏｎｔからの指示に基づいて、送りモータＭｔ及びスピンドルモータＳｐの駆動制御を行う。送りモータＭｔは光ピックアップＡを光ディスクＤｓの径方向に移動させるためのモータである。スピンドルモータＳｐは光ディスクＤｓを回転させるモータである。なお、光ディスクＤｓは、図示を省略したターンテーブルに載置された状態で、回転されるものであり、スピンドルモータＳｐはターンテーブルを回転させることで、光ディスクＤｓを回転させる。
【００２４】
制御部Ｃｏｎｔは、光ピックアップＡに設けられた後述の受光素子ＰＤ（図２参照）から出力される情報信号に基づいて、再生信号、フォーカスエラー（ＦＥ）信号及びトラッキングエラー(ＴＥ)信号を生成する。また、制御部Ｃｏｎｔは、光ディスクＤｓの再生時に、ＦＥ信号に基づいてフォーカスサーボ制御を行うとともに、ＴＥ信号に基づいてトラッキングサーボ制御を行う。
【００２５】
図２は本発明にかかる光ピックアップの一例を光ディスクと反対側から見た斜視図であり、図３は図２に示す光ピックアップの光ディスクと反対側から見た平面図であり、図４は図２に示す光ピックアップの光ディスク側から見た平面図であり、図５は図２に示す光ピックアップに用いられる光学素子の概略配置を示す図である。
【００２６】
図２〜図５に示すように、光ピックアップＡは、第１の光源１、第２光源２、ハーフミラー２１、偏光ビームスプリッタ３、コリメータレンズ４を備えている。さらに、光ピックアップＡは、第１立上げミラー５１、第２立上げミラー５２、１／４波長板６１、１／４波長板６２、第１対物レンズ７１、第２対物レンズ７２、回折格子２２、センサレンズ８及び受光素子ＰＤを備えている。
【００２７】
光ピックアップＡは、上述した各光学素子を取り付けるシャーシ１０と、シャーシ１０の上面（光ディスク側の面）に取り付けられたメイン基板１０１とを備えている。また、光ピックアップＡは平行に並んだ軸（不図示）に摺動可能に支持される。
【００２８】
上述の光学素子のうち、第１対物レンズ７１及び第２対物レンズ７２以外の光学素子はシャーシ１０の一面が開口した凹部に配置されている。そして、その開口を覆うように金属製の平板状のカバー（不図示）が取り付け固定されている。カバーを取り付けることで、シャーシ１０とカバーとで密閉された空間に光学素子が配置されるので、光学素子に塵、埃等の異物が混入、付着するのを抑制することができる。
【００２９】
また、図４に示しているように、第１対物レンズ７１、第２対物レンズ７２はアクチュエータＡｃｔに備えられている。アクチュエータＡｃｔは第１対物レンズ７１又は第２対物レンズ７２を光ディスクの径方向或いは接近離間方向に移動させる駆動装置である。アクチュエータＡｃｔは、ドライバＤｒによって駆動制御されている。
【００３０】
光ピックアップＡの光学素子について詳しく説明する。第１光源１はＢＤの記録／再生用の青色レーザ光（波長約４０５ｎｍ）を出射するレーザダイオードである。第１光源１から出射されたレーザ光は、偏光ビームスプリッタ３に入射する。偏光ビームスプリッタ３は第１の光源１から出射されたレーザ光、すなわち、青色レーザ光に対応した光学素子であり、青色レーザ光が入射すると、その入射光の偏光方向によって、反射又は通過する光学素子である。なお、偏光ビームスプリッタ３は、Ｐ偏光を反射しＳ偏光を通過する光学素子として説明する。第１光源１から出射されたレーザ光はＰ偏光のレーザ光であり、偏光ビームスプリッタ３の反射面で反射され、光路が曲げられる。
【００３１】
一方、第２光源２はＤＶＤの記録／再生用の赤色レーザ光（波長約６５０ｎｍ）又はＣＤの記録／再生用の赤外レーザ光（波長約７８０ｎｍ）を選択して出射できるレーザダイオードである。第２光源から２から出射された赤色レーザ光又は赤外レーザ光はハーフミラー２１に入射する。ハーフミラー２１に入射した赤色レーザ光又は赤外レーザ光の光量の一部はハーフミラー２１を通過し、残りの光量は反射され偏光ビームスプリッタ３に入射する。
【００３２】
上述したように、偏光ビームスプリッタ３は青色レーザ光用の光学素子であるので、赤色レーザ光、赤外レーザ光は入射した光量の全て（略全て）が通過する。なお、以下の説明において特に区別せずレーザ光と記述した場合、青色レーザ光、赤色レーザ光及び赤外レーザ光の全てを指すものとする。つまり、単にレーザ光と記載した場合、レーザ光の波長に関係なく光学素子で変換され、反射され、光学素子を通過するものとする。
【００３３】
偏光ビームスプリッタ３から出射したレーザ光はコリメータレンズ４に入射する。コリメータレンズ４は発散光の収差を補正して平行光を得るためのレンズである。なお、青色レーザ光、赤色レーザ光及び赤外レーザ光の異なる波長の光を正確に平行光とするため、コリメータレンズ４は光軸方向に移動可能となっている。コリメータレンズ４を通過したレーザ光は第１立上げミラー５１に入射する。
【００３４】
第１立上げミラー５１は所定の波長帯に含まれる光を反射し、それ以外の波長帯の光を通過させるダイクロイックミラーである。第１立上げミラー５１は青色レーザ光を反射し、赤色レーザ光及び赤外レーザ光を通過する特性を有している。第１立上げミラー５１は青色レーザ光を光ディスク（ＢＤ）方向（立上り方向）に反射するものであり、第１立上げミラー５１で反射された青色レーザ光は１／４波長板６１に入射する。
【００３５】
１／４波長板６１は入射した光の位相を１／４波長ずらす光学素子である。すなわち、１／４波長板６１は直線偏光を円偏光に、円偏光を直線偏光に変換している。第１立上げミラー５１で反射された青色レーザ光は直線偏光であり、１／４波長板６１を通過することで、円偏光に変換され、第１対物レンズ７１に入射する。
【００３６】
第１対物レンズ７１は、青色レーザ光を集光し、ＢＤの記録層にレーザスポットとして照射する集光レンズである。光ディスク（ＢＤ）の記録層で反射された青色レーザ光（戻り光）は、第１対物レンズ７１を通過することで、もとの平行光に戻り、１／４波長板６１通過することで直線偏光に変換される。なお、１／４波長板６１を透過した戻り光は、元の光に対して直交するように回転した直線偏光の光となっている。１／４波長板６１を通過した戻り光は、第１立上げミラー５１で反射される。
【００３７】
一方で、コリメータレンズ４から出射されたレーザ光が赤色レーザ光又は赤外レーザ光の場合、第１立上げミラー５１が反射する波長帯から外れているので、光量の全て又は略全てが第１立上げミラー５１を透過する。第１立上げミラー５１を透過した赤色レーザ光又は赤外レーザ光は、第２立上げミラー５２に入射する。第２立上げミラー５２は全反射タイプのミラーであり、第２立上げミラー５２で光ディスク（ＤＶＤ又はＣＤ）方向（立上り方向）に反射された赤色レーザ光又は赤外レーザ光は、１／４波長板６２を透過し、円偏光に変換され第２対物レンズ７２に入射する。なお、１／４波長板６２は、１／４波長板６１と同様の効果を有するものであり、直線偏光を円偏光に、円偏光を直線偏光に変換する。詳細は省略するが、１／４波長板６２を用いた場合も、コリメータレンズからの光と戻り光とは互いに直交する直線偏光となる。
【００３８】
第２対物レンズ７２は、入射した赤色レーザ光又は赤外レーザ光を集光し、それぞれに対応する光ディスク（ＤＶＤ又はＣＤ）の記録層にレーザスポットとして照射する集光レンズである。ＤＶＤ又はＣＤで反射された赤色レーザ光又は赤外レーザ光（戻り光）は、第２対物レンズ７２を通過することで、もとの平行光に戻り、第２立上げミラー５２で反射され第１立上げミラー５１に入射される。上述したとおり、第１立上げミラー５１は青色レーザ光以外の光を反射せず通過させるので、赤色レーザ光及び赤外レーザ光は第１立上げミラー５１を透過する。
【００３９】
第１立上げミラー５１で反射された青色レーザ光及び第１立上げミラー５１を通過した赤色レーザ光、赤外レーザ光は、往路と同じ（略同じ）光路を通ってコリメータレンズ４に入射する。コリメータレンズ４に入射したレーザ光は平行光から収束光に変換され、偏光ビームスプリッタ３に入射する。
【００４０】
上述したとおり  １／４波長板６１、６２を用いることで、光源側から入射するレーザ光及び光ディスクで反射された戻り光のそれぞれの偏光方向は、互いに直交する方向となる。青色レーザ光の戻り光は光源からの光と直交する直線偏光である。偏光ビームスプリッタ３は、偏光方向で反射又は透過を行うものであり、第１光源１からの光を反射しているため、戻り光は偏光ビームスプリッタ３を透過する。また、偏光ビームスプリッタ３は青色レーザ光に対応した光学素子であるので、赤色レーザ光及び赤外レーザ光も偏光ビームスプリッタ３を通過する。
【００４１】
偏光ビームスプリッタ３を通過した光は、ハーフミラー２１に入射する。ハーフミラー２１でレーザ光の一部は反射され、残りは通過する。そして、ハーフミラー２１を通過した光は、回折格子２２及びセンサレンズ８を通過し、受光素子ＰＤに入射する。受光素子ＰＤに入射したレーザ光は、受光素子ＰＤで電気信号に変換される。
【００４２】
図２等に示すように、光ピックアップＡでは、光源に電力を供給するためのフレキシブルプリント基板９を備えている。なお、光ピックアップＡにおいて、説明の便宜上、第１光源１に電力を供給するためのフレキシブルプリント基板９について説明する。図６は図２に示す光ピックアップの第１光源の近傍を拡大した概略断面図である。なお、図６に示す第１光源１は、理解を容易にするため、端子を一列に並んだ構成としているが、図２に示す構成と同等である。
【００４３】
図６に示すように、第１光源１は、本体部１１と、本体部１１より突出した３本の端子１２ａ、１２ｂ、１２ｃを備えている。３本の端子のうち、端子１２ａは接地端子であり、残りの端子１２ｂ、１２ｃは、電気信号が入力される端子である。そして、これらの端子はフレキシブルプリント基板９を介してメイン基板１０１と接続されている。
【００４４】
次にフレキシブルプリント基板９について説明する。図３に示すように、フレキシブルプリント基板９は、メイン基板１０１に接続される基板取付部９１と、基板取付部９１と一体に形成され、第１光源１に接続される光源取付部９２とを備えている。
【００４５】
図７は本発明にかかる光ピックアップに用いられるフレキシブルプリント基板の光源取付部の拡大図である。フレキシブルプリント基板は、膜状の配線パターンを有するとともに、配線パターンの外部を覆うように設けられた絶縁部材を備えている。図７に示すように、電源取付部９２は、基板取付部９１と連結するための連結部９１１と、第１光源１の端子１２ａ、１２ｂ及び１２ｃと接続する接続部９２１と、接続部９２１より延伸する延長部９２２と、延長部９２２の先端に形成され、第１光源１の本体１１と接触する接触部９２３とを備えている。連結部９１１及び延長部９２２は帯状を有しており、接続部９２１及び接触部９２３は、略円形状を有している。
【００４６】
なお、光源取付部９２には、端子１２ａと接続される配線パターン９２４ａと、端子１２ｂと接続される配線パターン９２４ｂと、端子１２ｃと接続される配線パターン９２４ｃとを備えている。なお、端子１２ａが接地端子であるため配線パターン９２４ａは、接地用配線パターンである。配線パターン９２４ａ、９２４ｂ、９２４ｃは導電性を有する金属（例えば、銅）の膜で形成された配線パターンである。なお、これらの配線パターンは、基板取付部９１に設けられている配線パターン（不図示）と一体に形成されている。そして、配線パターン９２４ａ、９２４ｂ、９２４ｃは絶縁膜９００に覆われている。
【００４７】
そして、接続部９２１には、配線パターン９２４ａ、９２４ｂ、９２４ｃと端子９２ａ、９２ｂ、９２ｃと接続するためのランド９２５ａ、９２５ｂ、９２５ｃが備えられている。ランド９２５ａ、９２５ｂ、９２５ｃははんだ付けを行うため、絶縁膜９００を除去されている。ランド９２５ａ、９２５ｂ、９２５ｃの略中央に配線パターン９２４ａ、９２４ｂ、９２４ｃを端子１２ａ、１２ｂ、１２ｃが貫通するための貫通孔９２６ａ、９２６ｂ、９２６ｃが形成されている。
【００４８】
なお、接続部９２１は、配線パターン９２４ａ、９２４ｂ、９２４ｃそれぞれが、ランド９２５ａ、９２５ｂ、９２５ｃを形成するために、太く形成されているため、連結部９１１よりも幅広（ここでは円形）に形成されている。しかしながら、ランド９２５ａ、９２５ｂ、９２５ｃを形成することが可能であれば、連結部９１１と同じ幅であってもよい。
【００４９】
そして、接地配線である配線パターン９２４ａのみが、延長されて形成されており、延長部９２２の内部には、配線パターン９２４ａが設けられている。そして、配線パターン９２４ａは延長部９２２のさらに先端側に延伸されており、接触部９２３にまで延びている。
【００５０】
接触部９２３は、第１光源１の本体と広い面積で接触するように、円板状に形成されており、内部に円形状の形成された配線パターン９２０ａが設けられている。配線パターン９２０ａは配線パターン９２４ａと一体に形成されている。接触部９２３の配線パターン９２０ａには、端子１２ａ（接地端子）の外径とほぼ同じ大きさの貫通孔９２７ａと、端子１２ｂ及び端子１２ｃの外径よりも大きい貫通孔９２７ｂ、９２７ｃを備えている。
【００５１】
接触部９２３において、絶縁膜９００には、貫通孔９２７ａと重なるように貫通窓９２８ａが形成されている。また、絶縁膜９００には、貫通孔９２７ｂ、９２７ｃと重なるとともに、貫通孔９２７ｂ、９２７ｃよりも小径で、貫通孔９２７ｂ、９２７ｃの内部に収まるように、形成された貫通窓９２８ｂ、９２８ｃが形成されている。貫通窓９２８ｂ、９２８ｃは、端子１２ｂ、１２ｃと貫通孔９２７ｂ、９２７ｃの縁、すなわち、配線パターン９２０ａとの接触を防ぐために設けられているものである。なお、貫通窓９２８ａ、９２８ｂ、９２８ｃを端子１２ａ、１２ｂ、１２ｃと密着する大きさとすることで、接触部９２３を正確に位置決めすることが可能である。
【００５２】
そして、図７に示すように、接続部９２１のランド９２５ａ、９２５ｂ、９２５ｃと、接触部９２３の貫通孔９２７ａ、９２７ｂ、９２７ｃ及び貫通窓９２８ａ、９２８ｂ、９２８ｃは、延長部９２２を挟んで対称となるように設けられている。
【００５３】
図６に示すように、フレキシブルプリント基板９は、延長部９２２を湾曲させるとともに接触部９２３の貫通窓９２８ａ、９２８ｂ、９２８ｃに端子１２ａ、１２ｂ、１２ｃを貫通させ、接触部９２１を第１光源１の本体１１と接触させる。これにより、接触部９２３では、配線パターン９２０ａと端子１２ａとを接触させるとともに、配線パターン９２０ａと端子１２ｂ、１２ｃとの接触を抑制している
【００５４】
さらに、接続部９２１のランド９２５ａ、９２５ｂ、９２５ｃの貫通孔９２６ａ、９２６ｂ、９２６ｃに端子１２ａ、１２ｂ、１２ｃを貫通させる。そして、ランド９２５ａ、９２５ｂ及び９２５ｃをそれぞれ端子１２ａ、１２ｂ及び１２ｃとはんだ付けすることで、接続部９２１を端子１２ａ、１２ｂ、１２ｃに固定する。延長部９２２を湾曲させることで、延長部９２２は弾性力を発揮する。そして、延長部９２２の弾性力によって、接触部９２３は第１光源１の本体１１に押し付けられる。
【００５５】
以上のように、フレキシブルプリント基板９を第１光源１に取り付けることで、光源取付部９２の接触部９２３を第１光源１の本体１１に確実に接触させている。このことから、第１光源１の駆動による発生する熱が本体１１と接触する配線パターン９２０ａに効率よく伝達される。そして、伝達された熱は配線パターン９２０ａと一体に形成されている配線パターン９２４ａを介してメイン基板１０１に伝導する。なお、メイン基板１０１は光ディスク側に配置されており、光ディスクの回転により発生する気流によって冷却されるため、メイン基板１０１に伝達された熱は放熱されやすい。以上のことより、光ピックアップＡでは、フレキシブルプリント基板９を利用して、第１光源１で発生した熱を効率よく排出している、換言すると、第１光源１の冷却性能を高めている。
【００５６】
なお、本実施形態では、第１光源１の冷却を行う構成について説明しているが、第２光源２も同様にフレキシブルプリント基板を利用して、冷却を行う構成になっていてもよい。
【００５７】
（第２実施形態）
本発明にかかる光ピックアップの他の例について図面を参照して説明する。図８は本発明にかかる光ピックアップの他の例に用いられるフレキシブルプリント基板の光源取付部の拡大図である。本実施形態の光ピックアップはフレキシブルプリント基板の光源取付部９２Ｂが異なる以外、第１実施形態の光ピックアップと同じ構成を有している。そこで、実質上同じ構成には同じ符号を付すとともに、同じ部分の詳細な説明は省略する。
【００５８】
図８に示すように、光源取付部９２Ｂは、接触部９２３の配線パターン９２０ａが第１光源１の本体１１と直接接触するように、第１光源１の本体１１と接触する側の絶縁膜９００を取り除いた接触領域９３を備えている。接触領域９３はここでは、円形状となっている。このように接触領域９３を備えることで、第１光源１の本体１１と熱伝導率が大きい配線パターン９２０ａとを直接接触させることが可能であり、第１光源１の冷却性能を高めることが可能である。なお、配線パターン９２０ａは接地配線であるため、第１光源１の本体１１を接地することができる効果も備えている。
【００５９】
また、接触部９２３の接触領域９３が形成されているのと反対側は、絶縁膜９００が残っており、絶縁膜９００には貫通窓９２８ａ、９２８ｂ、９２８ｃが形成されている。そのため、接触部９２３に接触領域９３を形成した場合であっても、貫通孔９２７ｂ、９２７ｃと端子１２ｂ、１２ｃとの接触を防止することが可能となっている。
【００６０】
これ以外は、第１実施形態と同じ特徴を有している。
【００６１】
（第３実施形態）
本発明にかかる光ピックアップのさらに他の例について図面を参照して説明する。図９は本発明にかかる光ピックアップの他の例に用いられるフレキシブルプリント基板の光源取付部の拡大図である。本実施形態の光ピックアップはフレキシブルプリント基板の光源取付部９２Ｃが異なる以外、第１実施形態の光ピックアップと同じ構成を有している。そこで、実質上同じ構成には同じ符号を付すとともに、同じ部分の詳細な説明は省略する。
【００６２】
図９に示すように、光源取付部９２Ｃの延長部９２２には、切欠き９４が設けられている。切欠き９４を設けることで、光源取付部９２Ｃを第１光源１に取り付けたときの延長部９２２の弾性力を調整することができる。つまり、光源取付部９２Ｃは切欠き９４が設けられている部分で折れ曲がりやすくなっており、それだけ、弾性力が弱くなるように調整される。
【００６３】
また、このように切欠き９４を設けることで、延長部９２２を湾曲させるとき、切欠き９４が形成されている部分で折れ曲がりやすくなるので、延長部９２２の湾曲による突出を小さくすることが可能である。
【００６４】
これ以外は、第１実施形態と同じ特徴を有している。
【００６５】
なお、上述の実施形態では、延長部９２２が連結部９１１と同じ方向に延伸するものとしているが、これに限定されるものではなく、延長部９２２の遠心方向は、連結部９１１と重ならないような角度を広く採用することができる。また、光ピックアップＡの光源の周囲の構成に合わせて延長部９２２の方向を調整してもよい。
【００６６】
接触部９２３を光源に接触させた後、接続部９２１の貫通孔９２６ａ、９２６ｂ、９２６ｃに端子１２ａ、１２ｂ、１２ｃを貫通させる場合、貫通孔９２６ａ、９２６ｂ、９２６ｃを、端子１２ａ、１２ｂ、１２ｃとの接続に影響が出ない範囲で大きく形成する。これにより、負歴素ぶるプリント基板の光源への取り付けが容易になる。
【００６７】
以上、本発明の実施形態について説明したが、本発明はこの内容に限定されるものではない。また本発明の実施形態は、発明の趣旨を逸脱しない限り、種々の改変を加えることが可能である。
【符号の説明】
【００６８】
Ｄｐ  光ディスク装置
Ｒａ  ＲＦアンプ
Ｐｗ  再生処理回路
Ｏｔ  出力回路
Ｄｒ  ドライバ
Ｍｔ  送りモータ
Ｓｐ  スピンドルモータ
Ｃｏｎｔ  制御部
Ａ  光ピックアップ
１  第１光源（ＢＤ用）
１１  本体部
１２ａ〜１２ｃ  端子
１０  シャーシ
１０１  メイン基板
１０２  軸貫通孔
１０３  係合凹部
２  第２光源（ＣＤ／ＤＶＤ用）
２１  ハーフミラー
３  偏光ビームスプリッタ
４  コリメータレンズ
５１  第１立上げミラー
５２  第２立上げミラー
６１  １／４波長板
６２  １／４波長板
７１  第１対物レンズ（ＢＤ用）
７２  第２対物レンズ（ＣＤ／ＤＶＤ用）
８  センサレンズ
９  フレキシブルプリント基板
９１  基板取付部
９１１  連結部
９２  光源取付部
９２０ａ  配線パターン
９２１  接続部
９２２  延長部
９２３  接触部
９２４ａ〜９２４ｃ  配線パターン
９２５ａ〜９２５ｃ  ランド
９２６ａ〜９２６ｃ  貫通孔
９２７ａ〜９２７ｃ  貫通孔
９２８ａ〜９２８ｃ  貫通窓
【図１】
2015043248.tif 000003
【図２】
2015043248.tif 000004
【図３】
2015043248.tif 000005
【図４】
2015043248.tif 000006
【図５】
2015043248.tif 000007
【図６】
2015043248.tif 000008
【図７】
2015043248.tif 000009
【図８】
2015043248.tif 000010
【図９】
2015043248.tif 000011